(57)【要約】      （修正有）【課題】コンテンツの一部分に対して、簡易に視聴制限をかけることができる装置、方法及びプログラムを提供する。【解決手段】コンテンツ処理装置３は、出力するコンテンツを受け付けるコンテンツ受付部３２１と、コンテンツの部分に対して視聴制限をかけるための情報であり、コンテンツの部分を特定する特定情報を含む部分制限情報を受け付ける部分制限情報受付部３２２と、部分制限情報が有する特定情報で特定されるコンテンツの部分を認識困難にする認識困難化処理を行う認識困難化処理部３３１と、認識困難化処理部３３１が認識困難化処理を行った結果のコンテンツを出力するコンテンツ出力部３４１とを備える。【選択図】図２
2016174241.tif 000002
【特許請求の範囲】
【請求項１】
出力するコンテンツを受け付けるコンテンツ受付部と、
前記コンテンツの部分に対して視聴制限をかけるための情報であり、前記コンテンツの部分を特定する特定情報を含む部分制限情報を受け付ける部分制限情報受付部と、
前記部分制限情報が有する特定情報で特定される前記コンテンツの部分を認識困難にする認識困難化処理を行う認識困難化処理部と、
前記認識困難化処理部が認識困難化処理を行った結果のコンテンツを出力するコンテンツ出力部とを具備するコンテンツ処理装置。
【請求項２】
前記部分制限情報は、
視聴制限の種類を示す種類情報を有し、
視聴制限の種類を示す指示である種類指示を含む視聴制限指示を受け付ける視聴制限指示受付部と、
前記認識困難化処理部は、
前記種類指示が示す視聴制限の種類に対応する種類情報と対になる特定情報で特定される前記コンテンツの部分を認識困難にする請求項１記載のコンテンツ処理装置。
【請求項３】
前記部分制限情報受付部は、
前記コンテンツ受付部が受け付けるコンテンツが格納されている装置とは異なる装置である部分制限情報管理装置から、部分制限情報を受信する請求項１または請求項２記載のコンテンツ処理装置。
【請求項４】
前記認識困難化処理部は、
前記部分制限情報が有する特定情報で特定される前記コンテンツに対して、認識困難にするコンテンツである認識困難化コンテンツをオーバーレイする請求項１から請求項３いずれか一項に記載のコンテンツ処理装置。
【請求項５】
前記部分制限情報は、
視聴制限をかける対象のコンテンツを識別するコンテンツ識別子、種類情報、および特定情報を有する請求項１から請求項４いずれか一項に記載のコンテンツ処理装置。
【請求項６】
前記コンテンツ出力部は、
前記認識困難化処理部が認識困難化処理を行った部分のコンテンツを出力中に、当該部分のコンテンツの出力が終了するまでの時間を示す情報であるカウントダウン情報をも出力する請求項１から請求項５いずれか一項に記載のコンテンツ処理装置。
【請求項７】
前記視聴制限をかける対象は、前記コンテンツに含まれる映像、または音声、または映像と音声である請求項１から請求項６いずれか一項に記載のコンテンツ処理装置。
【請求項８】
コンテンツ受付部、部分制限情報受付部、認識困難化処理部、およびコンテンツ出力部により実現されるコンテンツ出力方法であって、
前記コンテンツ受付部が、出力するコンテンツを受け付けるコンテンツ受付ステップと、
前記部分制限情報受付部が、前記コンテンツの部分に対して視聴制限をかけるための情報であり、前記コンテンツの部分を特定する特定情報を含む部分制限情報を受け付ける部分制限情報受付ステップと、
前記認識困難化処理部が、前記部分制限情報が有する特定情報で特定される前記コンテンツの部分を認識困難にする認識困難化処理を行う認識困難化処理ステップと、
前記コンテンツ出力部が、前記認識困難化処理部が認識困難化処理を行った結果のコンテンツを出力するコンテンツ出力ステップとを具備するコンテンツ出力方法。
【請求項９】
コンピュータを、
出力するコンテンツを受け付けるコンテンツ受付部と、
前記コンテンツの部分に対して視聴制限をかけるための情報であり、前記コンテンツの部分を特定する特定情報を含む部分制限情報を受け付ける部分制限情報受付部と、
前記部分制限情報が有する特定情報で特定される前記コンテンツの部分を認識困難にする認識困難化処理を行う認識困難化処理部と、
前記認識困難化処理部が認識困難化処理を行った結果のコンテンツを出力するコンテンツ出力部して機能させるためのプログラム。
【発明の詳細な説明】
【技術分野】
【０００１】
本発明は、コンテンツの部分を認識困難にするコンテンツ処理装置等に関するものである。
【背景技術】
【０００２】
従来、編集対象となる映像素材について、特定の画像に対するモザイク等の画像処理を短時間で効率よく実行する技術があった（例えば、特許文献１参照）。
【０００３】
本技術は、画像データに含まれる画像の中から認識対象画像を設定するとともに、上記認識対象画像の属性情報を設定する設定ステップと、上記画像データを構成するフレーム毎に、上記属性情報を用いて、フレーム画像内での上記認識対象画像を探索する探索ステップと、上記探索ステップで探索した上記認識対象画像のフレーム内での画像範囲に応じて決定される処理対象領域についての画像処理情報を付与する画像処理ステップと、を演算処理装置に実行させる画像編集プログラムにより実現される。
【先行技術文献】
【特許文献】
【０００４】
【特許文献１】特開２０１３−３１０３４号公報
【発明の概要】
【発明が解決しようとする課題】
【０００５】
しかしながら、従来技術においては、簡易にコンテンツの一部分に対して視聴制限をかけることができなかった。
【課題を解決するための手段】
【０００６】
本第一の発明のコンテンツ処理装置は、出力するコンテンツを受け付けるコンテンツ受付部と、コンテンツの部分に対して視聴制限をかけるための情報であり、コンテンツの部分を特定する特定情報を含む部分制限情報を受け付ける部分制限情報受付部と、部分制限情報が有する特定情報で特定されるコンテンツの部分を認識困難にする認識困難化処理を行う認識困難化処理部と、認識困難化処理部が認識困難化処理を行った結果のコンテンツを出力するコンテンツ出力部とを具備するコンテンツ処理装置である。
【０００７】
かかる構成により、簡易にコンテンツの一部分に対して視聴制限をかけることができる。
【０００８】
また、本第二の発明のコンテンツ処理装置は、第一の発明に対して、部分制限情報は、視聴制限の種類を示す種類情報を有し、視聴制限の種類を示す指示である種類指示を含む視聴制限指示を受け付ける視聴制限指示受付部と、認識困難化処理部は、種類指示が示す視聴制限の種類に対応する種類情報と対になる特定情報で特定されるコンテンツの部分を認識困難にするコンテンツ処理装置である。
【０００９】
かかる構成により、簡易にコンテンツの一部分に対して複数種類の視聴制限をかけることができる。
【００１０】
また、本第三の発明のコンテンツ処理装置は、第一または第二の発明に対して、部分制限情報受付部は、コンテンツ受付部が受け付けるコンテンツが格納されている装置とは異なる装置である部分制限情報管理装置から、部分制限情報を受信するコンテンツ処理装置である。
【００１１】
かかる構成により、簡易にコンテンツの一部分に対して視聴制限をかけることができる。
【００１２】
また、本第四の発明のコンテンツ処理装置は、第一から第三いずれかの発明に対して、認識困難化処理部は、部分制限情報が有する特定情報で特定されるコンテンツに対して、認識困難にするコンテンツである認識困難化コンテンツをオーバーレイするコンテンツ処理装置である。
【００１３】
かかる構成により、簡易にコンテンツの一部分に対して視聴制限をかけることができる。
【００１４】
また、本第五の発明のコンテンツ処理装置は、第一から第四いずれかの発明に対して、部分制限情報は、視聴制限をかける対象のコンテンツを識別するコンテンツ識別子、種類情報、および特定情報を有するコンテンツ処理装置である。
【００１５】
かかる構成により、簡易に複数の各コンテンツの一部分に対して、視聴制限をかけることができる。
【００１６】
また、本第六の発明のコンテンツ処理装置は、第一から第五いずれかの発明に対して、コンテンツ出力部は、認識困難化処理部が認識困難化処理を行った部分のコンテンツを出力中に、部分のコンテンツの出力が終了するまでの時間を示す情報であるカウントダウン情報をも出力するコンテンツ処理装置である。
【００１７】
かかる構成により、視聴制限をかけたコンテンツの出力に対する、視聴者のストレスを軽減できる。
【００１８】
また、本第七の発明のコンテンツ処理装置は、第一から第六いずれかの発明に対して、視聴制限をかける対象は、コンテンツに含まれる映像、または音声、または映像と音声であるコンテンツ処理装置である。
【００１９】
かかる構成により、簡易にコンテンツを構成する映像または音声の一部分に対して視聴制限をかけることができる。
【発明の効果】
【００２０】
本発明によるコンテンツ処理装置によれば、簡易にコンテンツの一部分に対して視聴制限をかけることができる。
【図面の簡単な説明】
【００２１】
【図１】実施の形態１におけるコンテンツ処理システムの概念図
【図２】同コンテンツ処理システムのブロック図
【図３】同次コンテンツ処理装置３の第一の動作例について説明するフローチャート
【図４】同再生処理について説明するフローチャート
【図５】同コンテンツ処理装置３の第二の動作例について説明するフローチャート
【図６】同コンテンツ管理表を示す図
【図７】同部分制限情報管理表を示す図
【図８】同コンテンツ選択画面を示す図
【図９】同コンテンツの出力イメージを示す図
【図１０】同コンテンツ処理装置３のブロック図
【図１１】同コンテンツ処理システムのブロック図
【図１２】同コンピュータシステムの概観図
【図１３】同コンピュータシステムのブロック図
【発明を実施するための形態】
【００２２】
以下、コンテンツ処理装置等の実施形態について図面を参照して説明する。なお、実施の形態において同じ符号を付した構成要素は同様の動作を行うので、再度の説明を省略する場合がある。
【００２３】
（実施の形態１）
本実施の形態において、コンテンツの部分に対して視聴制限をかけるための情報である部分制限情報を用いて、当該部分制限情報に対応する部分コンテンツに対して認識困難化処理を行い、コンテンツを出力するコンテンツ処理装置を備えるコンテンツ処理システムについて説明する。
【００２４】
また、本実施の形態において、部分制限情報は、２以上の種類の情報を有し、ユーザ指定に対応する部分制限情報に対応する部分コンテンツの認識困難処理を行うコンテンツ処理装置を備えるコンテンツ処理システムについて説明する。
【００２５】
また、本実施の形態において、部分制限情報がコンテンツとは異なる装置に格納されているコンテンツ処理システムについて説明する。
【００２６】
また、本実施の形態において、認識困難化処理は、部分制限情報に対応する部分コンテンツを認識困難にするように、認識困難化コンテンツをオーバーレイして出力するコンテンツ処理装置を備えるコンテンツ処理システムについて説明する。
【００２７】
さらに、本実施の形態において、認識困難化のコンテンツの出力が完了するまでのカウントダウンの出力を行うコンテンツ処理装置を備えるコンテンツ処理システムについて説明する。
【００２８】
図１は、本実施の形態におけるコンテンツ処理システムの概念図である。コンテンツ処理システムは、コンテンツ管理装置１、部分制限情報管理装置２、１または２以上のコンテンツ処理装置３を備える。
【００２９】
コンテンツ管理装置１は、１以上のコンテンツを管理している装置である。コンテンツ管理装置１は、例えば、サーバ装置であり、いわゆるクラウドサーバも含む。
【００３０】
部分制限情報管理装置２は、１以上の各コンテンツに対応する１以上の部分制限情報を管理している装置である。部分制限情報管理装置２は、例えば、サーバ装置であり、いわゆるクラウドサーバも含む。
【００３１】
コンテンツ処理装置３は、通常、コンテンツを出力する装置であり、例えば、パーソナルコンピュータ、いわゆるスマートフォン、タブレット端末等である。なお、コンテンツ処理装置３は、コンテンツ管理装置１のコンテンツを処理しても良いが、コンテンツ処理装置３に格納しているコンテンツを処理して良いし、他の装置から受信したコンテンツを処理しても良い。また、コンテンツ処理装置３は、部分制限情報管理装置２の部分制限情報を使用してコンテンツを処理しても良いし、コンテンツ処理装置３に格納している部分制限情報を使用してコンテンツを処理しても良い。つまり、コンテンツ処理装置３は、スタンドアロンの装置でも良い。
【００３２】
図２は、本実施の形態におけるコンテンツ処理システムのブロック図である。
【００３３】
コンテンツ管理装置１は、第一格納部１１、第一受信部１２、第一処理部１３、および第一送信部１４を備える。
【００３４】
部分制限情報管理装置２は、第二格納部２１、第二受信部２２、第二処理部２３、および第二送信部２４を備える。
【００３５】
コンテンツ処理装置３は、格納部３１、受付部３２、処理部３３、出力部３４、送信部３５、および受信部３６を備える。
【００３６】
受付部３２は、コンテンツ受付部３２１、部分制限情報受付部３２２、および視聴制限指示受付部３２３を備える。
【００３７】
処理部３３は、認識困難化処理部３３１を備える。
【００３８】
出力部３４は、コンテンツ出力部３４１を備える。
【００３９】
コンテンツ管理装置１を構成する第一格納部１１は、１または２以上のコンテンツを格納し得る。通常、コンテンツは、コンテンツ識別子と対に格納される。コンテンツ識別子とは、コンテンツを識別する情報であり、例えば、ＩＤ、タイトル等である。なお、コンテンツとは、例えば、映画、番組、電子書籍、電子マガジン等であり、その種類は問わない。コンテンツは、通常、映像を有する。コンテンツは、通常、音声を有する。ただし、コンテンツは、静止画、音声のみ等でも良く、そのデータタイプは問わない。また、コンテンツは、ストリームであることは好適である。
【００４０】
第一受信部１２は、コンテンツ処理装置３からコンテンツを送信する要求であるコンテンツ要求を受信する。コンテンツ要求は、通常、コンテンツ識別子を有する。第一受信部１２は、コンテンツ処理装置３からコンテンツ一覧要求を受信する。コンテンツ一覧要求は、コンテンツの一覧の要求である。コンテンツ一覧要求は、コンテンツを選択するためのコンテンツの情報の一覧の要求である。なお、コンテンツの情報は、通常、コンテンツのタイトルを含む。
【００４１】
第一処理部１３は、各種の処理を行う。各種の処理は、例えば、第一受信部１２が受信したコンテンツ要求に対応するコンテンツを第一格納部１１から取得する処理である。第一処理部１３は、例えば、コンテンツ要求が有するコンテンツ識別子と対になるコンテンツを第一格納部１１から取得する。また、各種の処理は、例えば、コンテンツ一覧を構成する処理である。コンテンツ一覧を構成する処理とは、例えば、第一格納部１１の１以上の各コンテンツのコンテンツ識別子、タイトル、１以上の属性値（出演者、ジャンル等）等を取得し、コンテンツ一覧を構成する処理である。コンテンツ一覧を構成する処理は、ユーザが視聴するコンテンツを選択するための一覧表やメニューを構成するための情報を取得する処理である。
【００４２】
第一送信部１４は、第一処理部１３が取得したコンテンツを、コンテンツ要求を送信してきたコンテンツ処理装置３に送信する。第一送信部１４は、第一処理部１３が取得したコンテンツ一覧を、コンテンツ一覧要求を送信してきたコンテンツ処理装置３に送信する。
【００４３】
部分制限情報管理装置２を構成する第二格納部２１は、１または２以上の部分制限情報を格納し得る。
【００４４】
部分制限情報とは、コンテンツの部分に対して視聴制限をかけるための情報である。部分制限情報は、通常、コンテンツ識別子、および特定情報を含む。特定情報とは、コンテンツの部分を特定する情報である。特定情報は、通常、開始時点特定情報、および終了時点特定情報を有する。開始時点特定情報は、視聴制限の開始時点を特定する情報である。終了時点特定情報は、聴制限の終了時点を特定する情報である。開始時点特定情報および終了時点特定情報は、コンテンツ内のフィールドを識別するフィールド識別子でも良い。開始時点特定情報および終了時点特定情報は、コンテンツ内のオフセットを示す情報でも良い。開始時点特定情報および終了時点特定情報は、コンテンツ内の相対的な時間を示す情報でも良い。相対的な時間を示す情報とは、例えば、コンテンツの開始からの時間であり、例えば、「分：秒」で示される。
【００４５】
つまり、特定情報は、コンテンツ内における、視聴制限の開始時間を特定する情報、および視聴制限の終了時間点を特定する情報を有しても良い。特定情報は、例えば、コンテンツ開始からのオフセットの組である。なお、オフセットの組は、視聴制限の開始を特定するオフセットと視聴制限の終了を特定するオフセットである。また、特定情報は、例えば、コンテンツを構成するフィールドの識別子の組である。識別子の組は、視聴制限の開始を特定するフィールドの識別子と視聴制限の終了を特定するフィールドの識別子である。
【００４６】
部分制限情報は、例えば、視聴制限をかける対象のコンテンツを識別するコンテンツ識別子、種類情報、および特定情報を有する。種類情報とは、視聴制限の種類を示す情報である。種類情報は、暴力シーンであることを示す情報、性的な描写が存在するシーンであることを示す情報、放送禁止用語が出現するシーンであることを示す情報、グロテスクな描写が存在するシーンであることを示す情報、宗教的に問題があるシーンであることを示す情報等である。種類情報は、文字列でも、ＩＤでも、数字等でも良い。
【００４７】
部分制限情報は、例えば、部分制限主体識別子を有しても良い。部分制限主体識別子は、視聴制限をかける組織（例えば、文部科学省、○○市教育委員会など）や個人（例えば、有識者、一般ユーザなど）を識別する情報である。部分制限主体識別子は、種類情報に対応付いていても良い。部分制限主体識別子は、視聴制限をかけることを判断する主体でも良い。ユーザは、１または２以上の部分制限主体識別子を指定して、当該部分制限主体識別子に対応する部分制限情報のみを用いても良い。
【００４８】
第二受信部２２は、部分制限情報要求を受信する。第二受信部２２は、例えば、コンテンツ処理装置３から部分制限情報要求を受信する。部分制限情報要求は、通常、一のコンテンツの部分制限情報を要求する情報である。部分制限情報要求は、通常、コンテンツ識別子を有する。部分制限情報要求は、部分制限情報の一部のみを要求する情報でも良い。部分制限情報の一部とは、例えば、特定情報と種類情報、または特定情報である。部分制限情報要求は、すべてのコンテンツの部分制限情報の全部または一部を要求する情報でも良い。
【００４９】
第二処理部２３は、各種の処理を行う。各種の処理とは、例えば、第二受信部２２が受信した部分制限情報要求が有するコンテンツ識別子と対になる特定情報を第二格納部２１から取得する処理である。第二処理部２３は、第二受信部２２が受信した部分制限情報要求が有するコンテンツ識別子と対になる種類情報と特定情報とを第二格納部２１から取得しても良い。また、第二処理部２３は、第二受信部２２が受信した部分制限情報要求が有するコンテンツ識別子を含む部分制限情報を第二格納部２１から取得しても良い。
【００５０】
第二送信部２４は、第二処理部２３が取得した特定情報を送信する。第二送信部２４は、例えば、部分制限情報要求を送信してきたコンテンツ処理装置３に、第二処理部２３が取得した特定情報を送信する。第二送信部２４は、種類情報と特定情報とを送信することは好適である。第二送信部２４は、第二処理部２３が取得した部分制限情報をコンテンツ処理装置３に送信しても良い。
【００５１】
コンテンツ処理装置３を構成する格納部３１は、各種の情報を格納し得る。各種の情報とは、例えば、１以上のコンテンツ、１以上の部分制限情報、コンテンツ一覧である。
【００５２】
受付部３２は、指示や情報等を受け付ける。指示や情報等とは、例えば、コンテンツ要求である。指示や情報等とは、例えば、視聴制限指示である。視聴制限指示とは、視聴を制限する旨を示す指示である。視聴制限指示は、視聴制限の種類を示す種類情報を有することは好適である。視聴制限指示は、すべての種類の視聴制限を実施する指示でも良い。また、指示や情報等とは、例えば、コンテンツ一覧要求である。コンテンツ一覧要求とは、コンテンツを選択するための画面を構成するコンテンツの一覧を取得する要求である。
【００５３】
なお、受け付けとは、キーボードやマウス、タッチパネルなどの入力デバイスから入力された情報の受け付け、有線もしくは無線の通信回線を介して送信された情報の受信、光ディスクや磁気ディスク、半導体メモリなどの記録媒体から読み出された情報の受け付けなどを含む概念である。
【００５４】
受付部３２が受け付ける指示や情報等の入力手段は、キーボードやマウスやメニュー画面によるもの等、何でも良い。受付部３２は、タッチパネルやキーボード等の入力手段のデバイスドライバーや、メニュー画面の制御ソフトウェア等で実現され得る。
【００５５】
コンテンツ受付部３２１は、出力するコンテンツを受け付ける。コンテンツ受付部３２１は、例えば、コンテンツ管理装置１からコンテンツを受信する。コンテンツ受付部３２１は、例えば、格納部３１からコンテンツを読み込んでも良い。また、コンテンツ受付部３２１は、例えば、放送により、コンテンツを受信しても良い。
【００５６】
部分制限情報受付部３２２は、コンテンツの部分に対して視聴制限をかけるための情報であり、コンテンツの部分を特定する特定情報を含む部分制限情報を受け付ける。
【００５７】
部分制限情報受付部３２２は、コンテンツ受付部３２１が受け付けるコンテンツが格納されている装置とは異なる装置である部分制限情報管理装置２から、部分制限情報等を受信することは好適である。ここで、部分制限情報等とは、部分制限情報でも良いし、特定情報でも良いし、種類情報と特定情報でも良い。なお、コンテンツが格納されている装置とは、コンテンツ管理装置１でもよいし、コンテンツ処理装置３でも良い。
【００５８】
部分制限情報受付部３２２は、受付部３２が受け付けたコンテンツ要求が有するコンテンツ識別子と対になる特定情報、または種類情報と特定情報を、第二格納部２１から取得しても良い。
【００５９】
視聴制限指示受付部３２３は、視聴制限指示を受け付ける。視聴制限指示は、視聴制限を行う旨の指示である。視聴制限指示は、視聴制限の種類を示す１以上の種類情報を含んでも良い。視聴制限指示は、すべての種類の視聴制限を行う旨の指示でも良い。
【００６０】
処理部３３は、各種の処理を行う。各種の処理とは、例えば、認識困難化処理部３３１が行う認識困難化処理である。
【００６１】
また、各種の処理とは、例えば、ユーザが視聴するコンテンツの選択画面を構成する処理である。コンテンツの選択画面を構成する処理は、例えば、コンテンツ一覧と部分制限情報一覧とを用いて、コンテンツの選択画面を構成する処理である。処理部３３は、例えば、コンテンツ一覧が有する各コンテンツの情報と、当該コンテンツの情報が有するコンテンツ識別子を含む部分制限情報とを用いて、コンテンツごとに、コンテンツを選択するためのメニューまたはボタン等を構成する。
【００６２】
なお、処理部３３は、例えば、コンテンツ一覧の各コンテンツ情報が有するコンテンツ識別子と対になる１以上の種類情報を部分制限情報一覧から取得する。そして、処理部３３は、例えば、コンテンツ一覧の各コンテンツ情報と、各コンテンツ情報に対応する１以上の種類情報とを用いて、コンテンツ選択画面を構成しても良い。
【００６３】
また、各種の処理とは、例えば、受付部３２が受け付けたコンテンツ要求が有するコンテンツ識別子を取得し、当該コンテンツ識別子を有する部分制限情報要求を構成する処理である。各種の処理とは、例えば、部分制限情報一覧要求を構成する処理である。部分制限情報一覧要求とは、１または２以上のコンテンツの部分制限情報を要求する情報である。
【００６４】
また、各種の処理とは、例えば、受信されたコンテンツを格納部３１に蓄積する処理である。また、各種の処理とは、例えば、受信された部分制限情報を格納部３１に蓄積する処理である。
【００６５】
また、各種の処理とは、カウントダウン情報を取得する処理である。カウントダウン情報とは、認識困難化処理を行った部分のコンテンツの出力が終了するまでの時間を示す情報である。処理部３３は、例えば、特定情報を用いて、認識困難化処理部３３１が認識困難化処理を行った結果のコンテンツの各要素（例えば、フィールド）に対して、認識困難化処理を行うコンテンツの出力終了までのカウンタであるカウントダウン情報を取得する。処理部３３は、例えば、特定情報が有する終了時点特定情報が示す時間またはフィールドＩＤ等と、対象となるコンテンツの各要素の出力時間またはフィールドＩＤ等との差異から、カウントダウン情報を取得する。なお、カウンタは、識困難化処理を行うコンテンツの出力終了までの時間またはフィールド数等である。
【００６６】
認識困難化処理部３３１は、部分制限情報が有する特定情報で特定されるコンテンツの部分を認識困難にする認識困難化処理を行う。なお、特定情報で特定されるコンテンツの部分を、適宜、部分コンテンツと言う。
【００６７】
認識困難化処理とは、例えば、部分コンテンツの映像をぼかす処理、部分コンテンツの映像を削除する処理、部分コンテンツの映像の上に他の映像をオーバーレイ（上書き）する処理等である。部分コンテンツの映像の上に他の映像をオーバーレイする処理は、例えば、クローズドキャプション情報（字幕情報）により実現される。また、認識困難化処理とは、例えば、部分コンテンツの音声のミュート、部分コンテンツの音量の低下の処理等でも良い。
【００６８】
認識困難化処理部３３１は、ユーザが指定した１以上の種類情報が示す視聴制限の種類に対応する種類情報と対になる特定情報で特定されるコンテンツの部分を認識困難にすることは好適である。ユーザが指定した１以上の種類情報は、例えば、格納部３１に格納されている。
【００６９】
認識困難化処理部３３１は、部分制限情報が有する特定情報で特定されるコンテンツに対して、認識困難にするコンテンツである認識困難化コンテンツをオーバーレイすることは好適である。認識困難化コンテンツとは、コンテンツを認識困難にするコンテンツであり、例えば、ブルーバックの画像、字幕情報、ぼかしの画像等である。
【００７０】
なお、認識困難化処理部３３１が行う認識困難化処理は、視聴者がコンテンツを認識困難にすれば良く、認識困難さの程度は問わない。
【００７１】
出力部３４は、各種の情報を出力する。各種の情報とは、例えば、コンテンツ、認識困難化処理が施されたコンテンツ、コンテンツの選択画面等である。ここで、出力とは、ディスプレイへの表示、プロジェクターを用いた投影、プリンタでの印字、音出力、外部の装置への送信、記録媒体への蓄積、他の処理装置や他のプログラムなどへの処理結果の引渡しなどを含む概念である。
【００７２】
コンテンツ出力部３４１は、認識困難化処理部３３１が認識困難化処理を行った結果のコンテンツを出力する。コンテンツ出力部３４１は、通常、認識困難となっているコンテンツの一部と、認識困難となっていないコンテンツの他の部分を出力する。
【００７３】
コンテンツ出力部３４１は、認識困難化処理が行われたコンテンツの出力中に、カウントダウン情報をも出力することは好適である。なお、カウントダウン情報は、処理部３３が取得した情報である。
【００７４】
送信部３５は、コンテンツ要求をコンテンツ管理装置１に送信する。このコンテンツ要求は、受付部３２が受け付けた要求であり、コンテンツ識別子を有する。
【００７５】
送信部３５は、部分制限情報要求を部分制限情報管理装置２に送信する。この部分制限情報要求は、処理部３３が構成した要求であり、コンテンツ識別子を有する。
【００７６】
送信部３５は、受付部３２が受け付けたコンテンツ一覧要求をコンテンツ管理装置１に送信する。
【００７７】
受信部３６は、コンテンツ管理装置１からコンテンツ一覧を受信する。コンテンツ一覧とは、コンテンツの一覧であり、１または２以上のコンテンツのタイトル情報を含む情報である。タイトル情報は、例えば、コンテンツのタイトル、コンテンツの代表画像、コンテンツの出演者、１または２以上の種類情報のうちの１以上の情報を含む。
【００７８】
受信部３６は、コンテンツ管理装置１から１以上のコンテンツを受信する。
【００７９】
受信部３６は、部分制限情報管理装置２から１以上の部分制限情報を受信する。また、受信部３６は、部分制限情報管理装置２から部分制限情報一覧を受信しても良い。
【００８０】
第一格納部１１、第二格納部２１、格納部３１は、不揮発性の記録媒体が好適であるが、揮発性の記録媒体でも実現可能である。第一格納部１１等にコンテンツ等が記憶される過程は問わない。例えば、記録媒体を介してコンテンツ等が第一格納部１１等で記憶されるようになってもよく、通信回線等を介して送信されたコンテンツ等が第一格納部１１等で記憶されるようになってもよく、あるいは、入力デバイスを介して入力されたコンテンツ等が第一格納部１１等で記憶されるようになってもよい。
【００８１】
第一受信部１２、第二受信部２２、受信部３６は、通常、無線または有線の通信手段で実現されるが、放送を受信する手段で実現されても良い。
【００８２】
第一処理部１３、第二処理部２３、処理部３３、認識困難化処理部３３１は、通常、ＭＰＵやメモリ等から実現され得る。第一処理部１３等の処理手順は、通常、ソフトウェアで実現され、当該ソフトウェアはＲＯＭ等の記録媒体に記録されている。但し、ハードウェア（専用回路）で実現しても良い。
【００８３】
第一送信部１４、第二送信部２４、送信部３５は、通常、無線または有線の通信手段で実現されるが、放送手段で実現されても良い。
【００８４】
出力部３４、コンテンツ出力部３４１は、ディスプレイやスピーカー等の出力デバイスを含むと考えても含まないと考えても良い。出力部３４は、出力デバイスのドライバーソフトまたは、出力デバイスのドライバーソフトと出力デバイス等で実現され得る。
【００８５】
次に、コンテンツ処理システムの動作について説明する。まず、コンテンツ管理装置１の動作例について説明する。
【００８６】
コンテンツ管理装置１の第一受信部１２は、コンテンツ処理装置３からコンテンツ要求を受信する。そして、第一処理部１３は、コンテンツ要求が有するコンテンツ識別子と対になるコンテンツを第一格納部１１から取得する。次に、第一送信部１４は、第一処理部１３が取得したコンテンツを、コンテンツ要求を送信してきたコンテンツ処理装置３に送信する。
【００８７】
また、第一受信部１２は、コンテンツ処理装置３からコンテンツ一覧要求を受信する。そして、第一処理部１３は、１または２以上のコンテンツのタイトル情報を含むコンテンツ一覧を構成する。次に、第一送信部１４は、第一処理部１３が構成したコンテンツ一覧を、コンテンツ一覧要求を送信してきたコンテンツ処理装置３に送信する。
【００８８】
次に、部分制限情報管理装置２の動作例について説明する。部分制限情報管理装置２の第二受信部２２は、部分制限情報要求をコンテンツ処理装置３から受信する。そして、第二処理部２３は、第二受信部２２が受信した部分制限情報要求が有するコンテンツ識別子と対になる特定情報、または第二受信部２２が受信した部分制限情報要求が有するコンテンツ識別子と対になる種類情報と特定情報を、第二格納部２１から取得する。そして、第二送信部２４は、第二処理部２３が取得した特定情報、または種類情報と特定情報を、部分制限情報要求を送信してきたコンテンツ処理装置３に送信する。
【００８９】
また、部分制限情報管理装置２の第二受信部２２は、部分制限情報一覧要求をコンテンツ処理装置３から受信する。そして、第二処理部２３は、１以上の部分制限情報を第二格納部２１から取得し、部分制限情報一覧を構成する。次に、第二送信部２４は、部分制限情報一覧を、部分制限情報一覧要求を送信してきたコンテンツ処理装置３に送信する。なお、部分制限情報一覧は、コンテンツ識別子と１以上の種類情報の組を１組以上有する情報でも良いし、コンテンツ識別子と特定情報と１以上の種類情報の組を１組以上有する情報でも良い。
【００９０】
次に、コンテンツ処理装置３の第一の動作例について、図３のフローチャートを用いて説明する。なお、第一の動作例は、コンテンツ管理装置１にコンテンツが格納されており、部分制限情報管理装置２に部分制限情報が格納されている場合である。
【００９１】
（ステップＳ３０１）視聴制限指示受付部３２３は、視聴制限指示を受け付けたか否かを判断する。視聴制限指示を受け付けた場合はステップＳ３０２に行き、視聴制限指示を受け付けない場合はステップＳ３０３に行く。
【００９２】
（ステップＳ３０２）処理部３３は、ステップＳ３０１で受け付けられた視聴制限指示に対応する１以上の種類情報を取得する。そして、処理部３３は、取得した１以上の種類情報を格納部３１に蓄積する。ステップＳ３０１に戻る。なお、格納部３１に蓄積された１以上の種類情報は、ユーザが視聴制限をかけて欲しい制限の種類を示す情報である。
【００９３】
（ステップＳ３０３）受付部３２は、コンテンツ一覧要求を受け付けたか否かを判断する。コンテンツ一覧要求を受け付けた場合はステップＳ３０４に行き、コンテンツ一覧要求を受け付けない場合はステップＳ３１３に行く。
【００９４】
（ステップＳ３０４）送信部３５は、受付部３２が受け付けたコンテンツ一覧要求をコンテンツ管理装置１に送信する。
【００９５】
（ステップＳ３０５）受信部３６は、コンテンツ一覧をコンテンツ管理装置１から受信したか否かを判断する。コンテンツ一覧を受信した場合はステップＳ３０６に行き、受信しない場合はステップＳ３０５に戻る。
【００９６】
（ステップＳ３０６）処理部３３は、ステップＳ３０５で受信されたコンテンツ一覧を格納部３１に蓄積する。
【００９７】
（ステップＳ３０７）処理部３３は、部分制限情報一覧要求を構成する。
【００９８】
（ステップＳ３０８）送信部３５は、ステップＳ３０７で構成された部分制限情報一覧要求を部分制限情報管理装置２に送信する。
【００９９】
（ステップＳ３０９）受信部３６は、部分制限情報一覧を部分制限情報管理装置２から受信したか否かを判断する。部分制限情報一覧を受信した場合はステップＳ３１０に行き、受信しない場合はステップＳ３０９に戻る。
【０１００】
（ステップＳ３１０）処理部３３は、ステップＳ３０９で受信された部分制限情報一覧を格納部３１に蓄積する。
【０１０１】
（ステップＳ３１１）処理部３３は、格納部３１のコンテンツ一覧と格納部３１の部分制限情報一覧とを用いて、コンテンツ選択画面を構成する。
【０１０２】
（ステップＳ３１２）出力部３４は、ステップＳ３１１で構成されたコンテンツ選択画面を出力する。ステップＳ３０１に戻る。
【０１０３】
（ステップＳ３１３）受付部３２は、コンテンツ要求を受け付けたか否かを判断する。コンテンツ要求を受け付けた場合はステップＳ３１４に行き、コンテンツ要求を受け付けない場合はステップＳ３０１に戻る。なお、コンテンツ要求は、コンテンツ識別子を有する。また、コンテンツ要求は、通常、出力されているコンテンツ選択画面に対して、ユーザが指示をしたコンテンツの要求である。
【０１０４】
（ステップＳ３１４）送信部３５は、ステップＳ３１３で受け付けられたコンテンツ要求をコンテンツ管理装置１に送信する。
【０１０５】
（ステップＳ３１５）コンテンツ受付部３２１は、コンテンツ管理装置１からコンテンツを受信したか否かを判断する。コンテンツを受信した場合はステップＳ３１６に行き、コンテンツを受信しない場合はステップＳ３１５に戻る。
【０１０６】
（ステップＳ３１６）処理部３３は、ステップＳ３１５で受信されたコンテンツを格納部３１に蓄積する。
【０１０７】
（ステップＳ３１７）処理部３３は、コンテンツ要求が有するコンテンツ識別子を用いて、部分制限情報要求を構成する。
【０１０８】
（ステップＳ３１８）送信部３５は、ステップＳ３１７で構成された部分制限情報要求を部分制限情報管理装置２に送信する。
【０１０９】
（ステップＳ３１９）受信部３６は、部分制限情報管理装置２から部分制限情報を受信したか否かを判断する。部分制限情報を受信した場合はステップＳ３２０に行き、部分制限情報を受信しない場合はステップＳ３１９に戻る。
【０１１０】
（ステップＳ３２０）処理部３３は、ステップＳ３１９で受信された部分制限情報を格納部３１に蓄積する。
【０１１１】
（ステップＳ３２１）コンテンツ出力部３４１、認識困難化処理部３３１は、部分制限情報を用いて、コンテンツの再生処理を行う。ステップＳ３０１に戻る。なお、再生処理について、図４のフローチャートを用いて説明する。
【０１１２】
なお、図３のフローチャートにおいて、電源オフや処理終了の割り込みにより処理は終了する。
【０１１３】
また、図３のフローチャートにおいて、ユーザが指定した１以上の部分制限主体識別子または予め決められた１以上の部分制限主体識別子または格納部３１に格納されている１以上の部分制限主体識別子に対応する部分制限情報のみが有効になり、コンテンツ処理装置３において、認識困難か処理が行われても良い。
【０１１４】
次に、ステップＳ３２１の再生処理について、図４のフローチャートを用いて説明する。
【０１１５】
（ステップＳ４０１）認識困難化処理部３３１は、視聴制限を行う１以上の種類情報を格納部３１から取得する。
【０１１６】
（ステップＳ４０２）コンテンツ出力部３４１は、カウンタｉに１を代入する。
【０１１７】
（ステップＳ４０３）コンテンツ出力部３４１は、再生対象のコンテンツにｉ番目のコンテンツ要素が存在するか否かを判断する。ｉ番目のコンテンツ要素が存在する場合はステップＳ４０４に行き、ｉ番目のコンテンツ要素が存在しない場合は上位処理にリターンする。  なお、コンテンツ要素は、再生の単位であり、例えば、映像におけるフィールドやフレーム等である。
【０１１８】
（ステップＳ４０４）コンテンツ出力部３４１は、再生対象のコンテンツのｉ番目のコンテンツ要素を格納部３１から取得する。
【０１１９】
（ステップＳ４０５）認識困難化処理部３３１は、再生対象のコンテンツに対応する部分制限情報が有する特定情報を用いて、ｉ番目のコンテンツ要素が、ステップＳ４０１で取得された視聴制限の１以上のいずれかの種類情報に対応する視聴制限の対象であるか否かを判断する。視聴制限の対象である場合はステップＳ４０６に行き、視聴制限の対象でない場合はステップＳ４０７に行く。
【０１２０】
（ステップＳ４０６）認識困難化処理部３３１は、再生対象のコンテンツのｉ番目のコンテンツ要素に対して、認識困難化処理を施す。
【０１２１】
（ステップＳ４０７）コンテンツ出力部３４１は、認識困難化処理部３３１が認識困難化処理を行ったｉ番目のコンテンツ要素、または認識困難化処理が行われていないｉ番目のコンテンツ要素を出力する。
【０１２２】
（ステップＳ４０８）コンテンツ出力部３４１は、カウンタｉを１、インクリメントする。
【０１２３】
（ステップＳ４０９）受付部３２は、コンテンツの再生処理を終了する指示である再生終了指示を受け付けたか否かを判断する。再生終了指示を受け付けた場合は上位処理にリターンし、再生終了指示を受け付けない場合はステップＳ４０３に戻る。なお、再生終了指示はユーザが入力し、受付部３２が受け付けた指示である。
【０１２４】
次に、コンテンツ処理装置３の第二の動作例について、図５のフローチャートを用いて説明する。なお、第二の動作例は、コンテンツ処理装置３にコンテンツも、部分制限情報も格納されている場合である。図５のフローチャートにおいて、図３のフローチャートを構成する一部のステップにより構成されるので、説明を省略する。なお、図５のステップＳ３２１において、認識困難化処理部３３１は、格納部３１のコンテンツと部分制限情報とを用いて、認識困難化処理を行う。
【０１２５】
以下、本実施の形態におけるコンテンツ処理システムの具体的な動作について説明する。コンテンツ処理システムの概念図は図１である。
【０１２６】
以下、２つの具体例について説明する。具体例１は、コンテンツ管理装置１がコンテンツを保持しており、部分制限情報管理装置２が部分制限情報を保持している場合である。具体例２は、コンテンツ処理装置３がコンテンツと分制限情報とを保持している場合である。
【０１２７】
（具体例１）
具体例１において、コンテンツ管理装置１の第一格納部１１は、図６に示すコンテンツ管理表を格納している。コンテンツ管理表は、１以上のコンテンツ情報を管理している。コンテンツ管理表は、「ＩＤ」「コンテンツ情報」を有するレコードを１以上、管理している。「ＩＤ」は、レコードを識別する情報である。「コンテンツ情報」は、「コンテンツ識別子」「タイトル」「代表画像」「コンテンツ」を有する。「コンテンツ識別子」は、ここではコンテンツを識別するＩＤである。「タイトル」は、コンテンツのタイトルを示すタイトル情報である。「代表画像」は、コンテンツの代表的な画像である。「コンテンツ」は、コンテンツそのものであり、ここでは、例えば、映画、ドラマ、ＴＶ番組等である。
【０１２８】
また、部分制限情報管理装置２の第二格納部２１は、図７に示す部分制限情報管理表を格納している。部分制限情報管理表は、「ＩＤ」「コンテンツ識別子」「部分制限情報」を有するレコードを１以上、管理している。「ＩＤ」は、レコードを識別する情報である。「コンテンツ識別子」は、ここではコンテンツを識別するＩＤである。「部分制限情報」は、「特定情報」「種類情報」を有する。なお、「部分制限情報」は、特定情報だけでも良い。また、「特定情報」は「開始点特定情報」「終了点特定情報」を有する。「開始点特定情報」は、認識困難化処理が行われる開始点を特定する情報である。「終了点特定情報」は、認識困難化処理が行われる終了点を特定する情報である。
【０１２９】
部分制限情報管理表において、「開始点特定情報」「終了点特定情報」は、フィールドを識別するフィールドＩＤ、またはコンテンツの開始からの時間（分：秒）により示されている。また、「種類情報」は、例えば、「暴力」「性的」「グロテスク」等である。「暴力」とは、暴力シーンであることを示す情報である。「性的」は、性的な描写が存在するシーンであることを示す情報。「グロテスク」は、グロテスクな描写が存在するシーンであることを示す情報である。
【０１３０】
かかる状況において、ユーザは、視聴制限指示を入力した、とする。ここで、入力された視聴制限指示は、種類情報「暴力」「グロテスク」を有する視聴制限指示であった、とする。
【０１３１】
次に、コンテンツ処理装置３の視聴制限指示受付部３２３は、種類情報「暴力」「グロテスク」を有する視聴制限指示を受け付ける。次に、処理部３３は、受け付けられた視聴制限指示に対応する種類情報「暴力」「グロテスク」を取得する。そして、処理部３３は、取得した種類情報「暴力」および「グロテスク」を格納部３１に蓄積する。
【０１３２】
次に、ユーザは、視聴するコンテンツを選択するためにコンテンツ一覧要求を入力した、とする。
【０１３３】
次に、受付部３２は、コンテンツ一覧要求を受け付ける。そして、送信部３５は、受付部３２が受け付けたコンテンツ一覧要求をコンテンツ管理装置１に送信する。
【０１３４】
次に、コンテンツ管理装置１の第一受信部１２は、コンテンツ処理装置３からコンテンツ一覧要求を受信する。
【０１３５】
次に、第一処理部１３は、図６のコンテンツ管理表から１以上のコンテンツ情報を読み出す。なお、コンテンツ情報は、図６の各レコードである。
【０１３６】
そして、第一処理部１３は読み出した１以上のコンテンツ情報から１または２以上のコンテンツのタイトル情報を含むコンテンツ一覧を構成する。コンテンツ一覧は、コンテンツを選択するためのボタンを有する。ボタンの表示は代表画像である、とする。
【０１３７】
次に、第一送信部１４は、第一処理部１３が構成したコンテンツ一覧を、コンテンツ一覧要求を送信してきたコンテンツ処理装置３に送信する。
【０１３８】
次に、コンテンツ処理装置３の受信部３６は、コンテンツ一覧をコンテンツ管理装置１から受信する。そして、処理部３３は、受信されたコンテンツ一覧を格納部３１に蓄積する。
【０１３９】
次に、処理部３３は、部分制限情報一覧要求を構成する。そして、送信部３５は、ステップＳ３０７で構成された部分制限情報一覧要求を部分制限情報管理装置２に送信する。
【０１４０】
次に、部分制限情報管理装置２の第二受信部２２は、部分制限情報一覧要求を受信する。そして、第二処理部２３は、コンテンツ識別子と１以上の種類情報との組を、１組以上、図７の部分制限情報管理表から読み出す。次に、第二送信部２４は、第二処理部２３が読み出した１組以上の情報（コンテンツ識別子と１以上の種類情報）を、部分制限情報一覧要求を送信してきたコンテンツ処理装置３に送信する。なお、１組以上の情報（コンテンツ識別子と１以上の種類情報）は、部分制限情報一覧である。
【０１４１】
次に、コンテンツ処理装置３の受信部３６は、部分制限情報一覧を部分制限情報管理装置２から受信する。そして、処理部３３は、受信された部分制限情報一覧を格納部３１に蓄積する。
【０１４２】
次に、処理部３３は、格納部３１のコンテンツ一覧と部分制限情報一覧とを用いて、コンテンツ選択画面を構成する。
【０１４３】
そして、出力部３４は、構成されたコンテンツ選択画面を出力する。ここで、コンテンツ選択画面は、例えば、図８である。図８の８０１は、コンテンツのタイトルである。８０２は、コンテンツを選択するためのボタンであり、コンテンツの代表画像が表示されている。８０３、８０４、８０５は、種類情報に対応するアイコンである。種類情報に対応するアイコンは、部分制限情報管理装置２から送信された情報でも良いし、コンテンツ処理装置３の格納部３１が保持していた情報でも良い。なお、８０３は種類情報「暴力」に対応するアイコン、８０４は種類情報「性的」に対応するアイコン、８０５は種類情報「グロテスク」に対応するアイコンである。
【０１４４】
次に、ユーザは、図８のコンテンツ選択画面のボタン８０６を押下して、８０６のコンテンツを選択した、とする。
【０１４５】
次に、コンテンツ処理装置３の受付部３２は、ボタン８０６に対応するコンテンツのコンテンツ要求を受け付ける。なお、コンテンツ要求は、コンテンツ識別子「Ｃ０２」を有する。
【０１４６】
次に、送信部３５は、コンテンツ識別子「Ｃ０２」を有するコンテンツ要求をコンテンツ管理装置１に送信する。
【０１４７】
次に、コンテンツ管理装置１の第一受信部１２は、コンテンツ処理装置３から、コンテンツ識別子「Ｃ０２」を有するコンテンツ要求を受信する。そして、コンテンツ受付部３２１は、コンテンツ要求が有するコンテンツ識別子「Ｃ０２」と対になるコンテンツを第一格納部１１から読み出す。次に、第一送信部１４は、第一処理部１３が取得したコンテンツを、コンテンツ要求を送信してきたコンテンツ処理装置３に送信する。
【０１４８】
次に、コンテンツ処理装置３のコンテンツ受付部３２１は、コンテンツ管理装置１から、コンテンツ識別子「Ｃ０２」に対応するコンテンツを受信する。次に、処理部３３は、ステップＳ３１５で受信されたコンテンツを格納部３１に蓄積する。
【０１４９】
次に、処理部３３は、コンテンツ要求が有するコンテンツ識別子「Ｃ０２」を用いて、部分制限情報要求を構成する。なお、この部分制限情報要求は、コンテンツ識別子「Ｃ０２」を有する。
【０１５０】
次に、送信部３５は、コンテンツ識別子「Ｃ０２」を有する部分制限情報要求を部分制限情報管理装置２に送信する。
【０１５１】
次に、部分制限情報管理装置２の第二受信部２２は、コンテンツ識別子「Ｃ０２」を有する部分制限情報要求を受信する。そして、第二処理部２３は、第二受信部２２が受信した部分制限情報要求が有するコンテンツ識別子「Ｃ０２」と対になる部分制限情報「＜開始点特定情報＞１０：５６，＜終了点特定情報＞１３：３８，＜種類情報＞性的」「＜開始点特定情報＞２８：３１，＜終了点特定情報＞３５：０７，＜種類情報＞暴力」を、図７の部分制限情報管理表から取得する。そして、第二送信部２４は、第二処理部２３が取得した２つの部分制限情報を、部分制限情報要求を送信してきたコンテンツ処理装置３に送信する。
【０１５２】
次に、部分制限情報受付部３２２は、部分制限情報管理装置２から部分制限情報「＜開始点特定情報＞１０：５６，＜終了点特定情報＞１３：３８，＜種類情報＞性的」「＜開始点特定情報＞２８：３１，＜終了点特定情報＞３５：０７，＜種類情報＞暴力」を受信する。そして、処理部３３は、受信された部分制限情報を格納部３１に蓄積する。
【０１５３】
次に、コンテンツ出力部３４１および認識困難化処理部３３１は、部分制限情報を用いて、以下のように  コンテンツの再生処理を行う。
【０１５４】
つまり、まず、認識困難化処理部３３１は、視聴制限の種類情報「暴力」を格納部３１から取得する。
【０１５５】
次に、コンテンツ出力部３４１は、再生対象のコンテンツのフィールドを１番目から取得する。
【０１５６】
そして、認識困難化処理部３３１は、再生対象のコンテンツに対応する部分制限情報を用いて、各フィールドが、取得された視聴制限の種類情報「暴力」に対応する視聴制限の対象であるか否かを、部分制限情報「＜開始点特定情報＞１０：５６，＜終了点特定情報＞１３：３８，＜種類情報＞性的」「＜開始点特定情報＞２８：３１，＜終了点特定情報＞３５：０７，＜種類情報＞暴力」を用いて判断する。
【０１５７】
そして、「＜開始点特定情報＞２８：３１，＜終了点特定情報＞３５：０７」に対応するフィールドに対して、認識困難化処理部３３１は、取得された視聴制限の種類情報「暴力」に対応する視聴制限の対象であると判断し、上記以外のフィールドに対して、認識困難化処理部３３１は、視聴制限の対象でないと判断する。
【０１５８】
そして、認識困難化処理部３３１は、再生対象のコンテンツのうち、開始から「２８分３１秒目から３５分０７秒目まで」のフィールドに対して、認識困難化処理を施す。ここで、認識困難化処理は、ぼかし処理である、とする。
【０１５９】
次に、コンテンツ出力部３４１は、開始から２８分３１秒の前までのフィールドは、認識困難化処理を施されていない通常のフィールドを出力する。そして、コンテンツ出力部３４１は、開始から２８分３１秒目から３５分０７秒目までは、認識困難化処理が施されたフィールドを出力する。そして、コンテンツ出力部３４１は、３５分０７秒より以降は、認識困難化処理を施されていない通常のフィールドを出力する。
【０１６０】
なお、コンテンツの出力イメージを図９に示す。図９において、（ａ）は、視聴制限をかけていない場合のコンテンツのイメージである。（ｂ）は、視聴制限をかけている場合のコンテンツのイメージである。また、（ｂ）の９０１は、性的な描写が存在するシーンであるが、視聴制限をかけていないシーンである。（ｂ）の９２０は、暴力シーンであり、視聴制限をかけているシーンである。９０３は、カウント情報の出力例であり、視聴制限をかけている状態が終わるまでの時間を示している。
【０１６１】
そして、コンテンツ識別子「Ｃ０２」に対応するコンテンツの再生が終了した時点、または受付部３２が再生終了指示を受け付けた場合に、処理は終了する。
【０１６２】
（具体例２）
具体例２におけるコンテンツ処理装置３のブロック図を図１０に示す。具体例２におけるコンテンツ処理装置３は、スタンドアロンであり、コンテンツ処理装置３は、格納部３１、受付部３２、処理部３３、出力部３４を備える。
【０１６３】
具体例２において、コンテンツ処理装置３の格納部３１は、図６に示すコンテンツ管理表のうちのコンテンツ識別子「Ｃ２」に対応するタイトル「ＸＸＸ」、代表画像、コンテンツを格納している。また、格納部２１は、図７に示す部分制限情報管理表のうちのコンテンツ識別子「Ｃ２」に対応する部分制限情報「＜開始点特定情報＞１０：５６，＜終了点特定情報＞１３：３８，＜種類情報＞性的」「＜開始点特定情報＞２８：３１，＜終了点特定情報＞３５：０７，＜種類情報＞暴力」を格納している。なお、コンテンツ識別子「Ｃ２」に対応するコンテンツ等と部分制限情報とは、光ディスク、ハードディスク等の記録媒体に蓄積されていることは好適である。
【０１６４】
かかる状況において、ユーザは、コンテンツ処理装置３に対して、視聴制限指示を入力した、とする。ここで、入力された視聴制限指示は、種類情報「暴力」「グロテスク」を有する視聴制限指示であった、とする。
【０１６５】
次に、コンテンツ処理装置３の視聴制限指示受付部３２３は、種類情報「暴力」「グロテスク」を有する視聴制限指示を受け付ける。次に、処理部３３は、受け付けられた視聴制限指示に対応する種類情報「暴力」「グロテスク」を取得する。そして、処理部３３は、取得した種類情報「暴力」および「グロテスク」を格納部３１に蓄積する。
【０１６６】
次に、ユーザは、コンテンツ処理装置３に対して、コンテンツ要求を入力した、とする。
【０１６７】
次に、コンテンツ処理装置３の受付部３２は、ボタン８０６に対応するコンテンツのコンテンツ要求を受け付ける。
【０１６８】
次に、コンテンツ受付部３２１は、コンテンツ識別子「Ｃ０２」と対になるコンテンツを第一格納部１１から取得する。
【０１６９】
次に、部分制限情報受付部３２２は、格納部３１から部分制限情報「＜開始点特定情報＞１０：５６，＜終了点特定情報＞１３：３８，＜種類情報＞性的」「＜開始点特定情報＞２８：３１，＜終了点特定情報＞３５：０７，＜種類情報＞暴力」を取得する。
【０１７０】
次に、コンテンツ出力部３４１および認識困難化処理部３３１は、部分制限情報を用いて、以下のように  コンテンツの再生処理を行う。
【０１７１】
つまり、まず、認識困難化処理部３３１は、視聴制限の種類情報「暴力」を格納部３１から取得する。
【０１７２】
次に、コンテンツ出力部３４１は、再生対象のコンテンツのフィールドを１番目から取得する。
【０１７３】
そして、認識困難化処理部３３１は、再生対象のコンテンツに対応する部分制限情報を用いて、各フィールドが、取得された視聴制限の種類情報「暴力」に対応する視聴制限の対象であるか否かを、部分制限情報「＜開始点特定情報＞１０：５６，＜終了点特定情報＞１３：３８，＜種類情報＞性的」「＜開始点特定情報＞２８：３１，＜終了点特定情報＞３５：０７，＜種類情報＞暴力」を用いて判断する。
【０１７４】
そして、「＜開始点特定情報＞２８：３１，＜終了点特定情報＞３５：０７」に対応するフィールドに対して、認識困難化処理部３３１は、取得された視聴制限の種類情報「暴力」に対応する視聴制限の対象であると判断する。そして、認識困難化処理部３３１は、上記以外のフィールドに対して、認識困難化処理部３３１は、視聴制限の対象でないと判断する。
【０１７５】
そして、認識困難化処理部３３１は、再生対象のコンテンツのうち、開始から「２８分３１秒目から３５分０７秒目まで」のフィールドに対して、認識困難化処理を施す。ここで、認識困難化処理は、ぼかし処理である、とする。
【０１７６】
次に、コンテンツ出力部３４１は、開始から２８分３１秒の前までのフィールドは、認識困難化処理を施されていない通常のフィールドを出力する。そして、コンテンツ出力部３４１は、開始から２８分３１秒目から３５分０７秒目までは、認識困難化処理が施されたフィールドを出力する。そして、コンテンツ出力部３４１は、３５分０７秒より以降は、認識困難化処理を施されていない通常のフィールドを出力する。かかるコンテンツ出力のイメージは、図９である。
【０１７７】
そして、コンテンツ識別子「Ｃ０２」に対応するコンテンツの再生が終了した時点、または受付部３２が再生終了指示を受け付けた場合に、処理は終了する。
【０１７８】
以上、本実施の形態によれば、簡易にコンテンツの一部分に対して視聴制限をかけることができる。
【０１７９】
また、本実施の形態によれば、コンテンツと部分制限情報とが分離されていることにより、コンテンツの著作権を侵害すること無く、簡易にコンテンツの一部分に対して視聴制限をかけることができる。
【０１８０】
また、本実施の形態によれば、コンテンツと部分制限情報とが分離されていることにより、例えば、ユーザごとに、視聴制限をかける箇所をカスタマイズできる。また、コンテンツと部分制限情報とが分離されていることにより、例えば、コンテンツの提供者ごとに、視聴制限をかける箇所をカスタマイズできる。
【０１８１】
また、本実施の形態によれば、カウントダウン情報をも出力することにより、視聴制限をかけたコンテンツの出力に対する、視聴者のストレスを軽減できる。
【０１８２】
なお、本実施の形態において、コンテンツ処理装置３は、表示装置４にコンテンツを送付して良い。かかる場合、ユーザは、表示装置４からコンテンツを視聴できる。表示装置４は、ディスプレイである。また、かかる場合のコンテンツ処理システムのブロック図は、図１１である。
【０１８３】
また、本実施の形態において、部分制限情報は、ユーザごと、コンテンツごとに、用意されていても良い。
【０１８４】
また、本実施の形態において、コンテンツ処理装置３は、部分制限情報管理装置２の部分制限情報と、ローカルに格納しているコンテンツとを用いて、認識困難化処理を行ったコンテンツを含むコンテンツを出力しても良い。
【０１８５】
また、本実施の形態において、コンテンツ処理装置３は、ローカルに格納している部分制限情報と、コンテンツ管理装置１のコンテンツとを用いて、認識困難化処理を行ったコンテンツを含むコンテンツを出力しても良い。
【０１８６】
さらに、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、このことは、本明細書における他の実施の形態においても該当する。なお、本実施の形態におけるコンテンツ処理装置３実現するソフトウェアは、以下のようなプログラムである。つまり、このプログラムは、コンピュータを、出力するコンテンツを受け付けるコンテンツ受付部と、前記コンテンツの部分に対して視聴制限をかけるための情報であり、前記コンテンツの部分を特定する特定情報を含む部分制限情報を受け付ける部分制限情報受付部と、前記部分制限情報が有する特定情報で特定される前記コンテンツの部分を認識困難にする認識困難化処理を行う認識困難化処理部と、前記認識困難化処理部が認識困難化処理を行った結果のコンテンツを出力するコンテンツ出力部して機能させるためのプログラムである。
【０１８７】
また、上記プログラムにおいて、前記部分制限情報は、視聴制限の種類を示す種類情報を有し、コンピュータを、視聴制限の種類を示す指示である種類指示を含む視聴制限指示を受け付ける視聴制限指示受付部としてさらに機能させ、前記認識困難化処理部は、前記種類指示が示す視聴制限の種類に対応する種類情報と対になる特定情報で特定される前記コンテンツの部分を認識困難にするものとして、コンピュータを機能させるプログラムであることは好適である。
【０１８８】
また、上記プログラムにおいて、前記部分制限情報受付部は、前記コンテンツ受付部が受け付けるコンテンツが格納されている装置とは異なる装置である部分制限情報管理装置から、部分制限情報を受信するものとして、コンピュータを機能させるプログラムであることは好適である。
【０１８９】
また、上記プログラムにおいて、前記認識困難化処理部は、前記部分制限情報が有する特定情報で特定される前記コンテンツに対して、認識困難にするコンテンツである認識困難化コンテンツをオーバーレイするものとして、コンピュータを機能させるプログラムであることは好適である。
【０１９０】
また、上記プログラムにおいて、前記部分制限情報は、視聴制限をかける対象のコンテンツを識別するコンテンツ識別子、種類情報、および特定情報を有するものとして、コンピュータを機能させるプログラムであることは好適である。
【０１９１】
また、上記プログラムにおいて、前記コンテンツ出力部は、前記認識困難化処理部が認識困難化処理を行った部分のコンテンツを出力中に、当該部分のコンテンツの出力が終了するまでの時間を示す情報であるカウントダウン情報をも出力するものとして、コンピュータを機能させるプログラムであることは好適である。
【０１９２】
また、図１２は、本明細書で述べたプログラムを実行して、上述した種々の実施の形態のコンテンツ処理装置等を実現するコンピュータの外観を示す。上述の実施の形態は、コンピュータハードウェア及びその上で実行されるコンピュータプログラムで実現され得る。図１２は、このコンピュータシステム３００の概観図であり、図１３は、システム３００のブロック図である。
【０１９３】
図１２において、コンピュータシステム３００は、ＣＤ−ＲＯＭドライブを含むコンピュータ３０１と、キーボード３０２と、マウス３０３と、モニタ３０４とを含む。
【０１９４】
図１３において、コンピュータ３０１は、ＣＤ−ＲＯＭドライブ３０１２に加えて、ＭＰＵ３０１３と、ＭＰＵ３０１３、ＣＤ−ＲＯＭドライブ３０１２に接続されたバス３０１４と、ブートアッププログラム等のプログラムを記憶するためのＲＯＭ３０１５と、ＭＰＵ３０１３に接続され、アプリケーションプログラムの命令を一時的に記憶するとともに一時記憶空間を提供するためのＲＡＭ３０１６と、アプリケーションプログラム、システムプログラム、及びデータを記憶するためのハードディスク３０１７とを含む。ここでは、図示しないが、コンピュータ３０１は、さらに、ＬＡＮへの接続を提供するネットワークカードを含んでも良い。
【０１９５】
コンピュータシステム３００に、上述した実施の形態のコンテンツ処理装置等の機能を実行させるプログラムは、ＣＤ−ＲＯＭ３１０１に記憶されて、ＣＤ−ＲＯＭドライブ３０１２に挿入され、さらにハードディスク３０１７に転送されても良い。これに代えて、プログラムは、図示しないネットワークを介してコンピュータ３０１に送信され、ハードディスク３０１７に記憶されても良い。プログラムは実行の際にＲＡＭ３０１６にロードされる。プログラムは、ＣＤ−ＲＯＭ３１０１またはネットワークから直接、ロードされても良い。
【０１９６】
プログラムは、コンピュータ３０１に、上述した実施の形態のコンテンツ処理装置等の機能を実行させるオペレーティングシステム（ＯＳ）、またはサードパーティープログラム等は、必ずしも含まなくても良い。プログラムは、制御された態様で適切な機能（モジュール）を呼び出し、所望の結果が得られるようにする命令の部分のみを含んでいれば良い。コンピュータシステム３００がどのように動作するかは周知であり、詳細な説明は省略する。
【０１９７】
なお、上記プログラムにおいて、情報を送信するステップや、情報を受信するステップなどでは、ハードウェアによって行われる処理、例えば、送信ステップにおけるモデムやインターフェースカードなどで行われる処理（ハードウェアでしか行われない処理）は含まれない。
【０１９８】
また、上記プログラムを実行するコンピュータは、単数であってもよく、複数であってもよい。すなわち、集中処理を行ってもよく、あるいは分散処理を行ってもよい。
【０１９９】
また、上記各実施の形態において、一の装置に存在する２以上の通信手段は、物理的に一の媒体で実現されても良いことは言うまでもない。
【０２００】
また、上記各実施の形態において、各処理は、単一の装置によって集中処理されることによって実現されてもよく、あるいは、複数の装置によって分散処理されることによって実現されてもよい。
【０２０１】
本発明は、以上の実施の形態に限定されることなく、種々の変更が可能であり、それらも本発明の範囲内に包含されるものであることは言うまでもない。
【産業上の利用可能性】
【０２０２】
以上のように、本発明にかかるコンテンツ処理装置は、簡易にコンテンツの一部分に対して視聴制限をかけることができる、という効果を有し、コンテンツ再生装置等として有用である。
【符号の説明】
【０２０３】
１  コンテンツ管理装置
２  部分制限情報管理装置
３  コンテンツ処理装置
４  表示装置
１１  第一格納部
１２  第一受信部
１３  第一処理部
１４  第一送信部
２１  第二格納部
２２  第二受信部
２３  第二処理部
２４  第二送信部
３１  格納部
３２  受付部
３３  処理部
３４  出力部
３５  送信部
３６  受信部
３２１  コンテンツ受付部
３２２  部分制限情報受付部
３２３  視聴制限指示受付部
３３１  認識困難化処理部
３４１  コンテンツ出力部
【図２】
2016174241.tif 000003
【図３】
2016174241.tif 000004
【図４】
2016174241.tif 000005
【図５】
2016174241.tif 000006
【図７】
2016174241.tif 000007
【図１０】
2016174241.tif 000008
【図１１】
2016174241.tif 000009
【図１２】
2016174241.tif 000010
【図１３】
2016174241.tif 000011
【図１】
2016174241.tif 000012
【図６】
2016174241.tif 000013
【図８】
2016174241.tif 000014
【図９】
2016174241.tif 000015